(57)【特許請求の範囲】
【請求項１】
光源アセンブリであって、
導光板と、
底部と少なくとも一つの側部とを有し、前記側部と前記底部とは所定の角度を成し、且つ、前記底部には少なくとも第一留め孔及び第二留め孔が形成されているバックプレートと、
前記バックプレートの前記側部に貼られるライトバーであって、前記ライトバーは縦長い外形を有し且つ長手軸方向において相対する第一端及び第二端を有し、前記バックプレートの前記第一留め孔は、前記ライトバーの前記第一端に隣接し、且つ、前記第二留め孔は、前記ライトバーの前記第二端に隣接するライトバーと、
一端が前記ライトバーに当接し、且つ、もう一端が前記第一留め孔に嵌入する第一留め具と、
一端が前記ライトバーに当接し、且つ、もう一端が前記第二留め孔に嵌入する第二留め具と、
を含み、
前記ライトバーは、複数の発光素子と、前記複数の発光素子の両側に位置する第一接続部及び第二接続部とを有し、
前記ライトバーに面する前記第一留め具の一方側は、第一割れ目を有し、且つ、前記第一割れ目は、前記第一接続部を収納し、前記ライトバーに面する前記第二留め具の一方側は、第二割れ目を有し、且つ、前記第二割れ目は、前記第二接続部を収納し、これにより、前記ライトバー、前記第一接続部及び前記第二接続部を前記導光板の衝撃から保護する、光源アセンブリ。
【請求項２】
前記第一留め具及び前記第二留め具は、弾性材料により構成される、
請求項１に記載の光源アセンブリ。
【請求項３】
前記第一留め具は、少なくとも一つの第一突起部を有し、前記第二留め具は、少なくとも一つの第二突起部を有し、前記第一突起部は、前記第一留め孔に嵌入し、前記第二突起部は、前記第二留め孔に嵌入する、
請求項１に記載の光源アセンブリ。
【請求項４】
前記第一突起部及び前記第二突起部は、それぞれ、Ｔ字形の断面外形を有し、且つ、前記第一留め孔及び前記第二留め孔は、それぞれ、Ｔ字形の断面外形をする、
請求項３に記載の光源アセンブリ。
【請求項５】
さらに、前記バックプレートと前記ライトバーとの間に設置される熱伝導性両面接着テープを含む、
請求項１に記載の光源アセンブリ。
【請求項６】
光源アセンブリであって、
導光板と、
前記導光板の底側に設置されるバックプレートと、
前記導光板の入光面に隣接する位置に設置され、且つ、前記バックプレートの一方側に接続する放熱片であって、前記放熱片は底部と側部とを有し、前記底部には少なくとも第一留め孔及び第二留め孔が形成されており、且つ、前記側部と前記底部とは所定の角度を成す放熱片と、
前記放熱片の前記側部に貼られるライトバーであって、前記ライトバーは長手軸方向において相対する第一端及び第二端を有し、前記放熱片の前記第一留め孔は前記ライトバーの前記第一端に隣接し、且つ、前記第二留め孔は前記ライトバーの前記第二端に隣接するライトバーと、
一端が前記ライトバーに当接し、且つ、もう一端が前記第一留め孔に嵌入する第一留め具と、
一端が前記ライトバーに当接し、且つ、もう一端が前記第二留め孔に嵌入する第二留め具と、
を含み、
前記ライトバーは、複数の発光素子と、前記複数の発光素子の両側に位置する第一接続部及び第二接続部とを有し、
前記ライトバーに面する前記第一留め具の一方側は、第一割れ目を有し、且つ、前記第一割れ目は、前記第一接続部を収納し、前記ライトバーに面する前記第二留め具の一方側は、第二割れ目を有し、且つ、前記第二割れ目は、前記第二接続部を収納し、これにより、前記ライトバー、前記第一接続部及び前記第二接続部を前記導光板の衝撃から保護する、光源アセンブリ。
【請求項７】
前記第一留め具及び前記第二留め具は、弾性材料により構成される、
請求項６に記載の光源アセンブリ。
【請求項８】
前記第一留め具は、少なくとも一つの第一突起部を有し、前記第二留め具は、少なくとも一つの第二突起部を有し、前記第一突起部は、前記第一留め孔に嵌入し、前記第二突起部は、前記第二留め孔に嵌入する、
請求項６に記載の光源アセンブリ。
【請求項９】
前記第一突起部及び前記第二突起部は、それぞれ、Ｔ字形の断面外形を有し、且つ、前記第一留め孔及び前記第二留め孔は、それぞれ、Ｔ字形の断面外形をする、
請求項８に記載の光源アセンブリ。
【請求項１０】
さらに、前記放熱片と前記ライトバーとの間に設置される熱伝導性両面接着テープを含む、
請求項６に記載の光源アセンブリ。
【請求項１１】
前記放熱片は、Ｔ字形又はＬ字形の断面外形を有する、
請求項６に記載の光源アセンブリ。
【請求項１２】
光源アセンブリであって、
導光板と、
底部と少なくとも一つの側部とを有し、前記底部と前記側部とは所定の角度を成し、前記底部は、少なくとも、第一留め孔、第二留め孔、及び、第三留め孔を有するバックプレートと、
前記バックプレートの前記側部に貼られる少なくとも二つのライトバーであって、隣接する二つの前記ライトバーは、互いに接続し且つ接点を形成し、且つ、前記第一留め孔、前記第二留め孔、及び、前記第三留め孔の形成位置は、それぞれ、接続する二つの前記ライトバーの左端、右端、及び、前記接点に隣接するライトバーと、
一端が、接続する二つの前記ライトバーの前記左端に当接し、且つ、もう一端が前記第一留め孔に嵌入する第一留め具と、
一端が、接続する二つの前記ライトバーの前記右端に当接し、且つ、もう一端が前記第二留め孔に嵌入する第二留め具と、
一端が前記接点に当接し、且つ、もう一端が前記第三留め孔に嵌入する第三留め具と、
を含み、
接続する二つの前記ライトバーは、複数の発光素子と、前記複数の発光素子の両側に位置する第一接続部及び第二接続部とを有し、
前記ライトバーに面する前記第一留め具の一方側は、第一割れ目を有し、且つ、前記第一割れ目は、前記第一接続部を収納し、前記ライトバーに面する前記第二留め具の一方側は、第二割れ目を有し、且つ、前記第二割れ目は、前記第二接続部を収納し、これにより、前記ライトバー、前記第一接続部及び前記第二接続部を前記導光板の衝撃から保護する、光源アセンブリ。
【請求項１３】
光源アセンブリであって、
導光板と、
前記導光板の底側に設置されるバックプレートと、
前記導光板の入光面に隣接する位置に設置される放熱片であって、前記放熱片は底部と側部とを有し、前記底部は少なくとも第一留め孔、第二留め孔、及び、第三留め孔を有し、前記底部は、前記バックプレートの一方側に接続し、且つ、前記底部と前記側部とは所定の角度を成す放熱片と、
前記放熱片の前記側部に貼られる少なくとも二つのライトバーであって、隣接する二つの前記ライトバーは互いに接続し且つ接点を形成し、前記第一留め孔、前記第二留め孔、及び、前記第三留め孔の形成位置は、それぞれ、接続する二つの前記ライトバーの左端、右端、及び、前記接点に隣接するライトバーと、
一端が、接続する二つの前記ライトバーの左端に当接し、且つ、もう一端が前記第一留め孔に嵌入する第一留め具と、
一端が、接続する二つの前記ライトバーの右端に当接し、且つ、もう一端が前記第二留め孔に嵌入する第二留め具と、
一端が前記接点に当接し、且つ、もう一端が前記第三留め孔に嵌入する第三留め具と、
を含み、
接続する二つの前記ライトバーは、複数の発光素子と、前記複数の発光素子の両側に位置する第一接続部及び第二接続部とを有し、
前記ライトバーに面する前記第一留め具の一方側は、第一割れ目を有し、且つ、前記第一割れ目は、前記第一接続部を収納し、前記ライトバーに面する前記第二留め具の一方側は、第二割れ目を有し、且つ、前記第二割れ目は、前記第二接続部を収納し、これにより、前記ライトバー、前記第一接続部及び前記第二接続部を前記導光板の衝撃から保護する、光源アセンブリ。
【請求項１４】
光源アセンブリであって、
導光板と、
底部と少なくとも一つの側部とを有し、前記底部と前記側部とは所定の角度を成し、且つ、前記底部は少なくとも第一留め孔及び第二留め孔を有するバックプレートと、
前記バックプレートの前記側部に貼られる少なくとも二つのライトバーであって、隣接する二つの前記ライトバーは互いに接続し且つ接点を形成し、且つ、前記第一留め孔及び前記第二留め孔の形成位置は、それぞれ、接続する二つの前記ライトバーの左端及び右端に隣接するライトバーと、
一端が、接続する二つの前記ライトバーの左端に当接し、且つ、もう一端が前記第一留め孔に嵌入する第一留め具と、
一端が、接続する二つの前記ライトバーの右端に当接し、且つ、もう一端が前記第二留め孔に嵌入する第二留め具と、
前記側部に形成され、また、前記接点に当接し又はそれと嵌合する押圧片と、
を含み、
接続する二つの前記ライトバーは、複数の発光素子と、前記複数の発光素子の両側に位置する第一接続部及び第二接続部とを有し、
前記ライトバーに面する前記第一留め具の一方側は、第一割れ目を有し、且つ、前記第一割れ目は、前記第一接続部を収納し、前記ライトバーに面する前記第二留め具の一方側は、第二割れ目を有し、且つ、前記第二割れ目は、前記第二接続部を収納し、これにより、前記ライトバー、前記第一接続部及び前記第二接続部を前記導光板の衝撃から保護する、光源アセンブリ。
【請求項１５】
光源アセンブリであって、
導光板と、
前記導光板の底側に設置されるバックプレートと、
前記導光板の入光面に隣接する位置に設置される放熱片であって、前記放熱片は底部と側部とを有し、前記底部は少なくとも第一留め孔及び第二留め孔を有し、前記底部は、前記バックプレートの一方側に接続し、且つ、前記底部と前記側部とは所定の角度を成す放熱片と、
前記放熱片の前記側部に貼られる少なくとも二つのライトバーであって、隣接する二つの前記ライトバーは互いに接続し且つ接点を形成し、且つ、前記第一留め孔及び前記第二留め孔の形成位置は、それぞれ、接続する二つの前記ライトバーの左端及び右端に隣接するライトバーと、
一端が、接続する二つの前記ライトバーの左端に当接し、且つ、もう一端が前記第一留め孔に嵌入する第一留め具と、
一端が、接続する二つの前記ライトバーの右端に当接し、且つ、もう一端が前記第二留め孔に嵌入する第二留め具と、
前記側部に形成され、また、前記接点に当接し又はそれと嵌合する押圧片と、
を含み、
接続する二つの前記ライトバーは、複数の発光素子と、前記複数の発光素子の両側に位置する第一接続部及び第二接続部とを有し、
前記ライトバーに面する前記第一留め具の一方側は、第一割れ目を有し、且つ、前記第一割れ目は、前記第一接続部を収納し、前記ライトバーに面する前記第二留め具の一方側は、第二割れ目を有し、且つ、前記第二割れ目は、前記第二接続部を収納し、これにより、前記ライトバー、前記第一接続部及び前記第二接続部を前記導光板の衝撃から保護する、光源アセンブリ。
【発明の詳細な説明】
【技術分野】
【０００１】
本発明は、光源アセンブリに関する。
【背景技術】
【０００２】
バックライトモジュールでは、技術とコストを考慮して、ライトバー（light bar）の固定方式が次第に改良されてきている。早期のライトバーは、熱伝導性パッド（thermal pad）を使ってネジ固定の方式でバックプレート(backplate)に固定され、今は、通常、粘性結合の方式でバックプレートに固定される。図１の光源アセンブリ１００に示すように、ライトバー１０４が、熱伝導性両面接着テープ（thermal
tape）１０６によりバックプレート１０２に接着固定される。しかし、熱伝導性両面接着テープ１０６を使うと、剥離又は脱落の問題が生じやすく、特に、ライトバー１０４の頭尾両端では、その問題がより著しい。ライトバー１０４とバックプレート１０２との間の熱伝導性両面接着テープ１０６の一端に剥離が発生したときに、ライトバー１０４とバックライト１０２との間の位置決めの信頼性が低下することがあり、さらに悪化すると、ライトバー１０４が次第に完全に脱落する恐れがあり、光源からの熱が集中して放熱しにくくなり、これにより、光学効率が低下し、バックライトモジュール全体の効能、信頼性及び品質が劣化してしまう。
【０００３】
また、特許文献１、特許文献２、特許文献３及び特許文献４は、ともに、バックライトモジュールにおける光源の固定方式を開示している。
【先行技術文献】
【特許文献】
【０００４】
【特許文献１】台湾特許公開第２００８１１５２２号
【特許文献２】台湾特許公開第２０１００７２７６号
【特許文献３】台湾特許公開第２００９２８５００号
【特許文献４】米国特許公開第２００８０１８６４２５号
【発明の概要】
【発明が解決しようとする課題】
【０００５】
本発明の目的は、良好な位置決め信頼性を有し、且つ、ライトバーの反り返又は剥離を避けることができ、また、ライトバーを導光板の衝撃から護る光源アセンブリを提供することにある。
【０００６】
本発明の他の目的と利点については、本発明に開示される技術的特徴から更なる理解を得ることができる。
【課題を解決するための手段】
【０００７】
上述の一又は部分又は全部の目的若しくは他の目的を達成するために、本発明の一実施例は、光源アセンブリを提供する。この光源アセンブリは、バックプレートと、ライトバーと、第一留め具と、第二留め具と、を含む。バックプレートは、底部と、少なくとも一つの側部とを有し、側部と底部とは、所定の角度を成し、且つ、底部には、少なくとも一つの第一留め孔及び第二留め孔が形成されている。ライトバーは、バックプレートの側部に貼られ、ライトバーは、縦長い外形を有し、且つ、長手軸方向において相対する第一端と第二端とを有し、そのうち、バックプレートの第一留め孔は、ライトバーの第一端に隣接し、且つ、第二留め孔は、ライトバーの第二端に隣接する。第一留め具の一端は、ライトバーに当接し、且つ、もう一端は、第一留め孔に嵌入し、第二留め具の一端は、ライトバーに当接し、且つ、もう一端は、第二留め孔に嵌入する。
【０００８】
一実施例では、第一留め具と第二留め具とは、弾性材料により構成される。
【０００９】
一実施例では、第一留め具は、少なくとも第一突起部を有し、第二留め具は、少なくとも第二突起部を有し、第一突起部は、第一留め孔に嵌入し、且つ、第二突起部は、第二留め孔に嵌入する。第一突起部と第二突起部とは、それぞれ、Ｔ字形の断面外形を有し、且つ、第一留め孔と第二留め孔とは、それぞれ、Ｔ字形の断面外形を有する。
【００１０】
一実施例では、ライトバーは、複数の発光素子と、発光素子の両側に設置される第一接続部及び第二接続部とを有し、ライトバーに面する第一留め具の一方側は、第一割れ目を有し、且つ、第一割れ目は、第一接続部を収納し、ライトバーに面する第二留め具の一方側は、第二割れ目を有し、且つ、第二割れ目は、第二接続部を収納する。
【００１１】
また、本発明の他の実施例は、光源アセンブリを提供する。この光源アセンブリは、バックプレートと、放熱片と、ライトバーと、第一留め具と、第二留め具とを含む。バックプレートは、導光板の底側に設置され、且つ、放熱片は、導光板の入光面に隣接する位置に設置され且つバックプレートの一方側に接続する。放熱片は、底部と、側部とを有し、底部には、少なくとも一つの第一留め孔及び第二留め孔が形成され、且つ、側部と底部とは、所定の角度を成す。ライトバーは、放熱片の側部に貼られ、ライトバーは、長手軸方向において相対する第一端と第二端とを有し、そのうち、放熱片の第一留め孔は、ライトバーの第一端に隣接し、且つ、第二留め孔は、ライトバーの第二端に隣接する。第一留め具の一端は、ライトバーに当接し、且つ、もう一端は、第一留め孔に嵌入し、第二留め具の一端は、ライトバーに当接し、且つ、もう一端は、第二留め孔に嵌入する。
【００１２】
また、本発明の他の実施例は、光源アセンブリを提供する。この光源アセンブリは、バックプレートと、少なくとも二つのライトバーと、第一留め具と、第二留め具と、第三留め具とを含む。バックプレートは、底部と、少なくとも一つの側部とを有し、底部と側部とは、所定の角度を成し、且つ、底部は、少なくとも一つの第一留め孔、第二留め孔及び第三留め孔を有する。少なくとも二つのライトバーは、バックプレートの側部に貼られ、隣接する二つのライトバーは、互いに接続し、且つ、接点を形成する。第一留め孔、第二留め孔及び第三留め孔の形成位置は、それぞれ、接続する二つのライトバーの左端、右端及び接点に隣接する。第一留め具の一端は、接続する二つのライトバーの左端に当接し且つもう一端は第一留め孔に嵌入する。第二留め具の一端は、接続する二つのライトバーの右端に当接し且つもう一端は第二留め孔に嵌入する。第三留め具の一端は、接点に当接し且つもう一端は第三留め孔に嵌入する。
【００１３】
また、本発明の他の実施例は、光源アセンブリを提供する。この光源アセンブリは、バックプレートと、放熱片と、少なくとも二つのライトバーと、第一留め具と、第二留め具と、第三留め具とを含む。バックプレートは、導光板の底側に設置される。放熱片は、導光板の入光面に隣接する位置に設置され、放熱片は、底部と側部とを含み、底部は、少なくとも一つの第一留め孔、第二留め孔及び第三留め孔を有し、底部は、バックプレートの一方側に接続し、且つ、底部と側部とは所定の角度を成す。少なくとも二つのライトバーは、放熱片の側部に貼られ、隣接する二つのライトバーは、互いに接続し、且つ、接点を形成し、且つ、第一留め孔、第二留め孔及び第三留め孔の形成位置は、それぞれ、接続する二つのライトバーの左端、右端及び接点に隣接する。第一留め具の一端は、接続する二つのライトバーの左端に当接し且つもう一端は第一留め孔に嵌入する。第二留め具の一端は、接続する二つのライトバーの右端に当接し且つもう一端は第二留め孔に嵌入する。第三留め具の一端は、接点に当接し且つもう一端は第三留め孔に嵌入する。
【００１４】
また、本発明は、光源アセンブリを提供する。この光源アセンブリは、バックプレートと、少なくとも二つのライトバーと、第一留め具と、第二留め具と、押圧片とを含む。バックプレートは、底部と、少なくとも一つの側部とを有し、底部と側部とは、所定の角度を成し、且つ、底部は、少なくとも、第一留め孔及び第二留め孔を有する。少なくとも二つのライトバーは、バックプレートの側部に貼られ、隣接する二つのライトバーは、互いに接続し、且つ、接点を形成し、且つ、第一留め孔及び第二留め孔の形成位置は、それぞれ、接続する二つのライトバー左端及び右端に隣接する。第一留め具の一端は、接続する二つのライトバーの左端に当接し且つもう一端は第一留め孔に嵌入する。第二留め具の一端は、接続する二つのライトバーの右端に当接し且つもう一端は第二留め孔に嵌入する。押圧片は、側部に形成され、また、接点に当接し又はそれと嵌合する。
【００１５】
また、本発明の他の実施例は、光源アセンブリを提供する。この光源アセンブリは、バックプレートと、放熱片と、少なくとも二つのライトバーと、第一留め具と、第二留め具と、押圧片とを含む。バックプレートは、導光板の底側に設置される。放熱片は、導光板の入光面に隣接する位置に設置され、放熱片は、底部と側部とを有し、底部は、少なくとも一つの第一留め孔及び第二留め孔を有し、底部は、バックプレートの一方側に接続し、且つ、底部と側部とは所定の角度を成す。少なくとも二つのライトバーは、放熱片の側部に貼られ、隣接する二つのライトバーは、互いに接続し、且つ、接点を形成し、且つ、第一留め孔及び第二留め孔の形成位置は、それぞれ、接続する二つのライトバーの左端及び右端に隣接する。第一留め具の一端は、接続する二つのライトバーの左端に当接し且つもう一端は第一留め孔に嵌入する。第二留め具の一端は、接続する二つのライトバーの右端に当接し且つもう一端は第二留め孔に嵌入する。押圧片は、側部に形成され、また、接点に当接し又はそれと嵌合する。
【発明の効果】
【００１６】
以上述べたところを総合すれば、本発明の実施例による光源アセンブリは、少なくとも、以下の利点のうち一つを有する。
【００１７】
上述の実施例の設計により、バックプレート又は放熱片上に留め孔を形成し、また、留め具の嵌合効果により、ライトバーをバックプレート又は放熱片にしっかり固定することができ、これにより、バックプレート又は放熱片上におけるライトバーの反り返、脱落又は剥離の現象を有効に避けることができ、光源アセンブリの品質と信頼性、及び、発光素子の寿命と発光効率を向上することができ、且つ、導光板とライトバーとの間に位置する留め具は、ライトバーを導光板の衝撃から護ることができる。また、上述の設計による素子の構成及び組み立て作業が比較的簡単且つ迅速であるので、コストを増加せずに位置決めの強化効果を提供することができる。また、バックプレート又は放熱片の底部と側部とは所定の角度を成すことにより、Ｔ字形又はＬ字形の断面外形を形成することができ、これにより、ライトバーは、実際のニーズに応じてＴ字形又はＬ字形の断面の水平壁面又は垂直壁面に貼られ得るので、異なる出光方向の発光素子に応用されることができる。
【図面の簡単な説明】
【００１８】
【図１】従来の光源アセンブリを示す図である。
【図２】本発明の一実施例による光源アセンブリを示す図である。
【図３】図２の局部拡大図Ｍである。
【図４】図２の局部拡大図Ｎである。
【図５】本発明の一実施例による留め具を示す図である。
【図６】留め具と留め孔との組合せ方式を示す図である。
【図７】本発明の他の実施例による光源アセンブリを示す図である。
【図８】本発明の他の実施例による光源アセンブリを示す図である。
【図９】本発明の他の実施例による光源アセンブリを示す図である。
【発明を実施するための形態】
【００１９】
次に、添付した図面を参照しながら、本発明の好適な実施形態を詳細に説明する。
【００２０】
なお、次の各実施例の説明は、添付した図面を参照して行われたものであり、本発明の実施可能な特定の実施例を例示するために用いられる。また、次の各実施例に言及した方向の用語、例えば、上、下、前、後、左、右などは、添付した図面の方向を参考するためのもののみである。よって、以下に使用された方向の用語は、説明のために用いられ、本発明を限定するためのものでない。
【００２１】
図２は、本発明の一実施例による光源アセンブリを示す図であり、図３及び図４は、図２の局部拡大図Ｍ及びＮである。図２乃至図４を参照する。光源アセンブリ１０は、バックプレート１２及びライトバー１４を含み、バックプレート１２は、底部１２ａ及び少なくとも一つの側部１２ｂを含み、且つ、バックプレートの側部１２ｂとバックプレートの底部１２ａとは、所定の角度を成し、本実施例では、バックプレートの側部１２ｂとバックプレートの底部１２ａとは、例えば、互いに垂直であるが、本発明は、この実施例に限定されない。ライトバー１４は、バックプレートの側部１２ｂに貼られ、例えば、ライトバー１４は、熱伝導性両面接着テープ（thermal tape）１８によりバックプレートの側部１２ｂに粘着されても良い。ライトバー１４は、縦長い外形を有するので、ライトバー１４の長手軸方向において相対する第一端Ｐ及び第二端Ｑを有する。ライトバー１４は、横列に配列される複数の発光素子１４１と、これらの発光素子１４１の両側に位置する第一接続部１４２（connector）及び第二接続部１４３とを有し、第一接続部１４２及び第二接続部１４３は、例えば、分布電極及び回路配線であっても良い。本実施例では、バックプレートの底部１２ａには、第一留め孔１２１及び第二留め孔１２２が形成されており、第一留め孔１２１は、ライトバー１４の第一端Ｐに隣接し、且つ、第二留め孔１２２は、ライトバー１４の第二端Ｑに隣接する。第一留め具２２の一端は、ライトバー１４に当接し、且つ、もう一端は、第一留め孔１２１に嵌入し、第二留め具２４の一端は、ライトバー１４に当接し、且つ、もう一端は、第二留め孔１２２に嵌入する。第一留め具２２及び第二留め具２４は、それぞれ、バックプレートの底部１２ａの第一留め孔１２１及び第二留め孔１２２に嵌入した後に、第一留め具２２及び第二留め具２４は、それぞれ、ライトバー１４の相対する両端Ｐ、Ｑに当接し、ライトバー１４への位置決めの効果を得ることができる。よって、ライトバー１４とバックプレート１２との間の熱伝導性両面接着テープ１８に劣化や剥離などが生じても、ライトバー１４は、依然として、第一留め具２２及び第二留め具２４によりバックプレート１２の所定の位置に固定され得る。また、第一留め具２２及び第二留め具２４は、それぞれ、第一留め孔１２１及び第二留め孔１２２に嵌入した後に、導光板（図示せず）とライトバー１４との間に位置するので、導光板が熱により変形する、又は、外力や他の原因で変位するときは、第一留め具２２及び第二留め具２４によりライトバー１４を導光板の衝撃から保護することができる。
【００２２】
図５は、本発明の一実施例による留め具を示す図であり、図６は、留め具と留め孔との組合せ方式を示す図である。図５及び図６は、第一留め具２２を例として留め具の構造を説明するための図であり、また、第二留め具２４の構造は、第一留め具２２の構造と同じであるので、その説明を省略する。図５と図６を同時に参照する。一実施例では、第一留め具２２の底部は、Ｔ字形の断面外形の突起部２２１を有し、且つ、ライトバー１４に面する第一留め具２２の一方側は、割れ目２２２を有し、これにより、第一留め具２２の突起部２２１は、第一留め孔１２１に嵌入した後に、第一留め具２２は、バックプレートの底部１２ａにしっかり固定されることができ、且つ、第一接続部１４２は、ちょうど第一留め具２２の割れ目２２２内に収納されるので、第一留め具２２は、ライトバー１４に当接し、ライトバーへの位置決めの効果を実現することができる。本実施例では、第一接続部１４２が第一留め具２２の割れ目２２２内に収納されることができるので、さらに、第一接続部１４２を保護する効果を提供することもできる。勿論、第一留め具２２及び第二留め具２４の外形及び留め孔との組合せ方式は、限定されず、嵌合の効果を達成し且つライトバー１４への位置決めの目的を実現できれば良い。また、第一留め具２２及び第二留め具２４は、弾性材料から構成されても良く、例えば、ゴム材料により構成されても良い。
【００２３】
図７は、本発明の他の実施例による光源アセンブリを示す図である。図７では、バックプレート３２と放熱片３６との接続状態をはっきり示すために、導光板４６を点線で表す。図７に示すように、光源アセンブリ３０は、バックプレート３２、ライトバー３４及び放熱片３６を含む。バックプレート３２は、導光板４６の底側に設置され、放熱片３６は、導光板４６の入光面４６ａに隣接する位置に設置され、且つ、バックプレート３２の底部平面３２ａの一方側に接続する。放熱片３６は、底部３６ａ及び側部３６ｂを有し、且つ、放熱片の底部３６ａと放熱片の側部３６ｂとは、所定の角度を成す。ライトバー３４は、放熱片の側部３６ｂに貼られ、例えば、ライトバー３４は、熱伝導性両面接着テープ３８により放熱片の側部３６ｂに粘着され得る。ライトバー３４は、縦長い外形を有するので、ライトバー３４の長手軸方向において相対する第一端Ｓ及び第二端Ｔを有する。ライトバー３４は、横列に配列される複数の発光素子３４１と、これらの発光素子３４１の両側に位置する第一接続部３４２及び第二接続部３４３とを有する。本実施例では、放熱片の底部３６ａには、第一留め孔３６１及び第二留め孔３６２が形成されており、第一留め孔３６１は、ライトバー３４の第一端Ｓに隣接し、且つ、第二留め孔３６２は、ライトバー３４に第二端Ｔに隣接する。第一留め具４２及び第二留め具４４は、それぞれ、放熱片の底部３６ａの第一留め孔３６１及び第二留め孔３６２に嵌入した後に、第一留め具４２及び第二留め具４４は、それぞれ、ライトバー３４の相対する両端Ｓ、Ｔに当接することができ、これにより、同様に、ライトバー３４への位置決めの効果を得ることができる。本実施例では、ライトバー３４と放熱片３６を結合してからバックプレート３２と接続する方式により、構造強度及び放熱効果を有効に向上することができ、且つ、モジュール化が容易になる。勿論、放熱片３６の外形は、限定されず、例えば、Ｌ字形又はＴ字形の断面外形などを有しても良い。
【００２４】
図８は、本発明の他の実施例による光源アセンブリを示す図である。本実施例では、光源アセンブリ７０は、二つのライトバー５４ａ、５４ｂを含み、且つ、隣接する二つのライトバー５４ａ、５４ｂは、互いに接続し、接点Ｗを形成する。二つのライトバー５４ａ、５４ｂは、放熱片７６の側部７６ｂに貼られ、且つ、放熱片７６の底部７６ａは、バックプレート５２の底部５２ａの一方側に接続する。第一留め具６２、第二留め具６４、及び第三留め具６６は、それぞれ、放熱片の底部７６ａに嵌入し、また、ライトバー５４ａの左端、ライトバー５４ｂの右端、及び二つのライトバー５４ａと５４ｂとの接点Ｗに当接し、これにより、同様に、良好な位置決め効果を得ることができる。また、図９の光源アセンブリ８０に示すように、押圧片８２を使って二つの接続するライトバー５４ａ、５４ｂの中間接点Ｗに当接させ、即ち、第一留め具６２、第二留め具６４及び押圧片８２は、それぞれ、二つの接続するライトバー５４ａ、５４ｂの左端、右端及び中間接点Ｗに当接することにより、複数の接続するライトバー５４ａ、５４ｂに良好な位置決め効果を持たせることもできる。勿論、上述の実施例は、図２に示した、ライトバーがバックプレートの側部に貼られる場合にも同様に応用され得る。
【００２５】
以上述べたところを総合すれば、本発明の実施例による光源アセンブリは、少なくとも、以下の利点のうち一つを有する。
【００２６】
上述の実施例の設計により、バックプレート又は放熱片上に留め孔を形成し、また、留め具の嵌合効果により、ライトバーをバックプレート又は放熱片にしっかり固定することができ、これにより、バックプレート又は放熱片上におけるライトバーの反り返、脱落又は剥離の現象を有効に避けることができ、光源アセンブリの品質と信頼性、及び、発光素子の寿命と発光効率を向上することができ、且つ、導光板とライトバーとの間に位置する留め具は、ライトバーを導光板の衝撃から護ることができる。また、上述の設計による素子の構成及び組み立て作業が比較的簡単且つ迅速であるので、コストを増加せずに位置決めの強化効果を提供することができる。また、バックプレート又は放熱片の底部と側部とは所定の角度を成すことにより、Ｔ字形又はＬ字形の断面外形を形成することができ、これにより、ライトバーは、実際のニーズに応じてＴ字形又はＬ字形の断面の水平壁面又は垂直壁面に貼られ得るので、異なる出光方向の発光素子に応用されることができる。
【００２７】
本発明は、上述した好適な実施例に基づいて以上のように開示されたが、上述した好適な実施例は、本発明を限定するためのものでなく、当業者は、本発明の精神と範囲を離脱しない限り、本発明に対して些細な変更と潤色を行うことができるので、本発明の保護範囲は、添付した特許請求の範囲に定まったものを基準とする。また、本発明の何れの実施例又は特許請求の範囲は、本発明に開示された全ての目的又は利点又は特徴を達成する必要がない。また、要約の部分と発明の名称は、文献の検索を助けるためのみのものであり、本発明の権利範囲を限定するものでない。
【符号の説明】
【００２８】
１０  光源アセンブリ
１２  バックプレート
１２１、１２２  留め孔
１２ａ  バックプレートの底部
１２ｂ  バックプレートの側部
１４  ライトバー
１４１  発光素子
１４２、１４３  接続部
１８  熱伝導性両面接着テープ
２２１  突起部
２２２  割れ目
２２、２４  留め具
３０  光源アセンブリ
３２  バックプレート
３２ａ  バックプレートの底部平面
３４  ライトバー
３４１  発光素子
３４２、３４３  接続部
３６  放熱片
３６１、３６２  留め孔
３６ａ  放熱片の底部
３６ｂ  放熱片の側部
３８  熱伝導性両面接着テープ
４２、４４  留め具
４６  導光板
４６ａ  導光板の入光面
７０、８０  光源アセンブリ
５２  バックプレート
５４ａ、５４ｂ  ライトバー
６２、６４、６６  留め具
７６  放熱片
７６ａ  放熱片の底部
７６ｂ  放熱片の側部
８２  押圧片
１００  光源アセンブリ
１０２  バックプレート
１０４  ライトバー
１０６  熱伝導性両面接着テープ
Ｍ、Ｎ  局部拡大図
Ｐ、Ｑ、Ｓ、Ｔ  端
Ｗ  接点
【図１】
0005496155.tif 000002
【図２】
0005496155.tif 000003
【図３】
0005496155.tif 000004
【図４】
0005496155.tif 000005
【図５】
0005496155.tif 000006
【図６】
0005496155.tif 000007
【図７】
0005496155.tif 000008
【図８】
0005496155.tif 000009
【図９】
0005496155.tif 000010